(57)【要約】【課題】アンテナと防水パッキンを内蔵する携帯端末において、形状の大きいアンテナと防水パッキンをコンパクトに実装することができる携帯端末を提供する。【解決手段】携帯端末１００のキー筐体９０は、上ケース１、下ケース２、アンテナ入りパッキン３、基板４を有する。下ケース２に基板４が配置される。上ケース１の周縁部近傍の当接面１１と、下ケース２の周縁部近傍の当接面２１との間に、アンテナ入りパッキン３が挟まれて、上ケース１と下ケース２とが嵌合して、両ケース間の防水構造となる。  アンテナ入りパッキン３は、内部にアンテナ導体３１を内蔵し、アンテナ導体３１の端部に２個の端子３２が設けられる。アンテナ入りパッキン３の詳細構造は、周囲がゴム３３、最内部にアンテナ導体３１を有し、ゴム３３とアンテナ導体３１の間は、空隙３４、又は柔らかいスポンジ３５とする。基板４の接点４１と端子３２とが接続されて、給電される。【選択図】  図２
2011146955.tif 000002
【特許請求の範囲】
【請求項１】
嵌合する複数のケースを有する携帯端末であって、
前記嵌合時のケースの当接面に配置される防水パッキンと、
アンテナに給電する給電接点を有する配線基板と
を具備し、
前記防水パッキンは、中空の弾性部材と、この弾性部材の中空に弾性部材との間に空隙をもって内蔵されたアンテナとを有し、
前記配線基板の給電接点と前記アンテナとが接続されることを
特徴とする携帯端末。
【請求項２】
嵌合する複数のケースを有する携帯端末であって、
前記嵌合時のケースの当接面に配置される防水パッキンと、
アンテナに給電する給電接点を有する配線基板と
を具備し、
前記防水パッキンは、最内部にアンテナと、最外部に第１の弾性部材と、このアンテナと第１の弾性部材との間に前記第１の部材より柔軟度の柔らかい第２の弾性部材とを有し、
前記配線基板の給電接点と前記アンテナとが接続されることを
特徴とする携帯端末。
【請求項３】
嵌合する複数のケースを有する携帯端末であって、
前記嵌合時のケースの当接面に配置される導電性の防水パッキンと、
アンテナに給電する給電接点を有する配線基板と
を具備し、
前記配線基板の給電接点と前記防水パッキンとが接続されて、前記防水パッキンをアンテナとして使用することを
特徴とする携帯端末。
【請求項４】
さらに、絶縁性の第２の防水パッキンを有し、
前記当接面は、前記ケースの側部を周回する周縁部近傍であり、
前記防水パッキンは、前記周縁部をほぼ周回して一端部と他端部が前記配線基板の給電接点に接続され、
前記防水パッキンの一端部と他端部との間の防水パッキンの無い箇所に、前記絶縁性の第２の防水パッキンが配置されることを特徴とする請求項３記載の携帯端末。
【発明の詳細な説明】
【技術分野】
【０００１】
本発明は、アンテナと防水パッキンを実装する携帯端末に関する。
【背景技術】
【０００２】
小型の携帯端末においては、実装できる面積に制限があるため、各種部品を実装する場合は、その実装場所などに工夫が必要となる。例えば、ループアンテナの場合、ループ形状によってアンテナ性能が左右され、出来るだけ大きなループを形成することが好ましく、小型の携帯端末では十分なループが取り難いという課題がある。このような課題に対し、例えば、特許文献１には、金属導体から成るループアンテナを筐体間の接合面に配線し、このループアンテナに電圧を加えながら筐体同士を溶着させる技術が開示されている。
【０００３】
すなわち、ループアンテナを筐体間の接合面に配線することで、大きなループを確保するようにしている。また、ループアンテナを構成する金属導体を利用して筐体間を溶接することで、気密性、防水性も備えることを可能としている。
【先行技術文献】
【特許文献】
【０００４】
【特許文献１】特開２００８−２８８９３１号公報（段落番号００１１−００１８、図２、図３）
【発明の概要】
【発明が解決しようとする課題】
【０００５】
特許文献１に開示されている技術では、筐体間を溶着しているため、あとで取り外すことが困難となり、また、筐体間の隙間から水が入りこむと、ループアンテナを腐食してしまう懸念がある。
【課題を解決するための手段】
【０００６】
本発明の携帯端末は、嵌合する複数のケースを有する携帯端末であって、前記嵌合時のケースの当接面に配置される防水パッキンと、アンテナに給電する給電接点を有する配線基板とを具備し、前記防水パッキンは、中空の弾性部材と、この弾性部材の中空に弾性部材との間に空隙をもって内蔵されたアンテナとを有し、前記配線基板の給電接点と前記アンテナとが接続されることを特徴とする。
【発明の効果】
【０００７】
本発明によれば、アンテナと防水パッキンを内蔵する携帯端末において、形状の大きいアンテナと防水パッキンをコンパクトに実装することができると共に、ケース間が嵌合で取り付けられているためアンテナと防水パッキンをあとで簡単に取り外すことができる。
【図面の簡単な説明】
【０００８】
【図１】本発明の各実施例に係る携帯端末１００の外観図。
【図２】本発明の実施例１に係る携帯端末１００のキー筐体９０の分解図。
【図３】本発明の実施例１に係る携帯端末１００のキー筐体９０の詳細構造図。
【図４】本発明の実施例１に係る携帯端末１００のアンテナ入りパッキン３の断面図。
【図５】本発明の実施例２に係る携帯端末１００のキー筐体９０の詳細構造図。
【図６】本発明の実施例２に係る携帯端末１００のキー筐体９０の詳細構造図（続き）。
【発明を実施するための形態】
【０００９】
図１は、本発明の各実施例に係る携帯端末１００の外観図である。携帯端末１００は折り畳み式の例であり、表示筐体８０とキー筐体９０とがヒンジ７０により回動自在に連結される。表示筐体８０は表示部８１を搭載する筐体であり、キー筐体９０はキー９１を搭載する筐体である。
【００１０】
キー筐体９０は、さらに、上ケース１と下ケース２とが嵌合した構造であり、各実施例では、この上ケース１と下ケース２間の防水構造、およびアンテナ構造について説明する。
【実施例１】
【００１１】
実施例１は、防水パッキンの内部にアンテナを内蔵した構造の携帯端末に関する。
【００１２】
図２は、本発明の実施例１に係る携帯端末１００のキー筐体９０の分解図である。キー筐体９０は、上ケース１、下ケース２、アンテナ入りパッキン３、基板４（配線基板）を有する。下ケース２に基板４が配置される。上ケース１の周縁部近傍の当接面１１と、下ケース２の周縁部近傍の当接面２１との間に、アンテナ入りパッキン３が挟まれて、上ケース１と下ケース２とが嵌合して、両ケース間の防水構造となる。
【００１３】
アンテナ入りパッキン３は、内部にアンテナ導体３１を内蔵し、アンテナ導体３１の端部に２個の端子３２が設けられる。基板４には、接点４１が設けられ、接点４１と端子３２とが接続されて、給電される。
【００１４】
図３は、本発明の実施例１に係る携帯端末１００のキー筐体９０の詳細構造図である。（Ａ）は平面図（上ケース１は除く）、（Ｂ）は、（Ａ）のＸ−Ｘ断面図、（Ｃ）は、（Ａ）のＹ−Ｙ断面図である。
【００１５】
図３の（Ａ）の平面図において、下ケース２に基板４が実装される。下ケース２の周縁部の当接面２１上に、ループ状のアンテナ入りパッキン３が配置され、不図示のケース１が上からかぶせられ、上ケース１の当接面１１が当接した状態で、両ケースが嵌合する。これにより、両ケースの当接面での防水構造となる。
【００１６】
アンテナ入りパッキン３に内蔵されたアンテナ導体３１の両端部は、２個の端子３２に繋がり、アンテナ入りパッキン３の外部に引き出され、基板４の接点４１（不図示）に接続される。
【００１７】
図３の（Ｂ）は、（Ａ）のＸ−Ｘ断面図であり、上ケース１の当接面１１には、アンテナ入りパッキン３が収納される凹部１１ａが形成され、下ケース２の当接面２１には、アンテナ入りパッキン３が収納される凹部２１ａが形成される。凹部１１ａと凹部２１ａを合わせたスペースは、アンテナ入りパッキン３の断面のスペースより少し小さめになっており、上ケース１と下ケース２が嵌合時に、アンテナ入りパッキン３を挟んで圧力がかかった状態で保持することで、防水性の構造とすることができる。
【００１８】
図３の（Ｃ）は、（Ａ）のＹ−Ｙ断面図であり、アンテナ導体３１がアンテナ入りパッキン３から外部に引き出される部分の断面図である。この部分には、上ケース１の当接面１１には凹部１１ｂが形成され、下ケース２の当接面２１には凹部２１ｂが形成され、アンテナ入りパッキン３が外部に引き出される部分の収納スペースとなる。
【００１９】
凹部１１ａと凹部２１ａを合わせたスペース、および凹部１１ｂと凹部２１ｂを合わせたスペースは、アンテナ入りパッキン３の断面のスペースより少し小さめになっており、上ケース１と下ケース２が嵌合時に、アンテナ入りパッキン３を挟んで圧力がかかった状態で保持することで、防水性の構造とすることができる。
【００２０】
アンテナ導体３１の外部に引き出される両端部には、２個の端子３２が設けられる。基板４には、２個の接点４１が設けられる。上ケース１に保持部１２、下ケース２には保持部２２が設けられ、上ケース１と下ケース２の嵌合時に、保持部１２と保持部２２とが、端子３２と接点４１を挟んで圧力がかかった状態で保持され、端子３２と接点４１との接続がなされる。
【００２１】
図４は、本発明の実施例１に係る携帯端末１００のアンテナ入りパッキン３の断面図であり、（Ａ）、（Ｂ）、（Ｃ）の３つの形態がある。
【００２２】
図４の（Ａ）では、アンテナ入りパッキン３は、ゴム３３（弾性部材）とアンテナ導体３１を有し、ゴム３３とアンテナ導体３１とは隙間なく形成される。ゴム３３の柔軟度を適性に設計することにより、防水性能を発揮することができる。
【００２３】
図４の（Ｂ）では、アンテナ入りパッキン３は、ゴム３３（弾性部材）とアンテナ導体３１を有し、ゴム３３（弾性部材）とアンテナ導体３１との間には空洞３４が形成される。アンテナ入りパッキン３を挟みこむケースの当接面の形状に比較的左右されずに押しつぶされるので、防水性能を発揮することができる。
【００２４】
図４の（Ｃ）では、アンテナ入りパッキン３は、ゴム３３（弾性部材）とアンテナ導体３１との間に、さらにスポンジ３５（第２の弾性部材）を有する。スポンジ３５は、ゴム３３に比べて柔軟であり、アンテナ入りパッキン３を挟みこむケースの当接面の形状に比較的左右されずに押しつぶされるので、防水性能を発揮することができる。
【００２５】
実施例１によれば、ループアンテナと防水パッキンを内蔵する携帯端末において、ループ形状の大きいループアンテナと防水パッキンをコンパクトに実装することができる。また、アンテナ入りパッキン３の形状を工夫することにより、アンテナ入りパッキン３を挟みこむケースの当接面の形状に比較的左右されずに押しつぶされるので、防水性能を発揮することができる。
【実施例２】
【００２６】
実施例２は、防水パッキンを導電性のものにし、防水パッキン自体を防水の他に、アンテナとしても機能させるものである。
【００２７】
図５は、本発明の実施例２に係る携帯端末１００のキー筐体９０の詳細構造図である。（Ａ）は平面図（上ケース１は除く）、（Ｂ）は、（Ａ）のＸ−Ｘ断面図、（Ｃ）は、（Ａ）のＹ−Ｙ断面図である。
【００２８】
図５の（Ａ）の平面図において、実施例１の図３の（Ａ）との相違は、アンテナ入りパッキン３に替えて、導電性パッキン５を用いる。導電性であるため、ループは１回としてループの終端部の接触を防ぐ。また、導電性パッキン５そのものの両端部を２個の端子５２として、基板４側へと引き出し、基板４の接点４１（不図示）に接続される。
【００２９】
さらに、ループの終端部は導電性で、接触してはいけないため、両端部間にギャップがあり、そこを防水するために、絶縁性パッキン６を設ける。これにより、両ケースの当接面での防水構造となる。他の部分は、図３の（Ａ）と同様であり、説明を省略する。
【００３０】
図５の（Ｂ）は、（Ａ）のＸ−Ｘ断面図であり、実施例１の図３の（Ｂ）との相違は、アンテナ入りパッキン３に替えて、導電性パッキン５を用いる点であり、他は同じであり、説明を省略する。
【００３１】
図５の（Ｃ）は、（Ａ）のＹ−Ｙ断面図であり、導電性パッキン５の両端部が基板４側に引き出される部分の断面図である。実施例１の図３の（Ｃ）との相違は、導電性パッキン５そのものの両端部である２個の端子５２と、基板４の接点４１とが接続される。他は同じであり、説明を省略する。
【００３２】
図６は、本発明の実施例２に係る携帯端末１００のキー筐体９０の詳細構造図（続き）であり、導電性パッキン５の両端の引き出し部分の断面を説明する図である。
【００３３】
図６の（Ａ）の平面図は、図５の（Ａ）と同じである。図６の（Ａ）に示したＺ−Ｚ断面を次に説明する。  
図６の（Ｂ）は、（Ａ）のＺ−Ｚ断面図である。導電性パッキン５の両端の引き出し部分のギャップに、絶縁性パッキン６を隙間がないように配置する。これにより、導電性パッキン５の両端同士の接触を防ぐ。また、上ケース１と下ケース２のそれぞれの当接面１１と１２の凹部１１ａ、凹部１１ｂ、凹部２１ａ、凹部２１ｂに、導電性パッキン５と絶縁性パッキン６が収納され、両ケースの嵌合時に、導電性パッキン５と絶縁性パッキン６を挟んで圧力がかかった状態で保持することで、防水性の構造とすることができる。
【００３４】
実施例２によれば、防水パッキンを導電性のものにし、防水パッキン自体を防水の他に、アンテナとしても機能させることができ、実装スペースを確保することができる。
【００３５】
なお、実施例１、実施例２共、アンテナはループ形状に限らず、他の形状であってもよい。また、キー筐体９０の上ケース１と下ケース２間にアンテナを配置することに限らず
、他の防水性の必要な箇所であれば、どこでもよい。また、折り畳み式の携帯端末のキー筐体に限らず、表示筐体内の嵌合するケースに適用してもよい。また、一体型の携帯端末の筐体の嵌合するケースに適用してもよい。
【符号の説明】
【００３６】
１  上ケース
２  下ケース
３  アンテナ入りパッキン
４  基板
５  導電性パッキン
６  絶縁性パッキン
１１  当接面
１１ａ、１１ｂ  凹部
１２  保持部
２１  当接面
２２  保持部
２１ａ、２１ｂ  凹部
３１  アンテナ導体
３２  端子
３３  ゴム
３４  空洞
３５  スポンジ
４１  接点
５２  端子
７０  ヒンジ
８０  表示筐体
８１  表示部
９０  キー筐体
９１  キー
１００  携帯端末
【図１】
2011146955.tif 000003
【図２】
2011146955.tif 000004
【図３】
2011146955.tif 000005
【図４】
2011146955.tif 000006
【図５】
2011146955.tif 000007
【図６】
2011146955.tif 000008